(57)【要約】  商品識別システム（ＷＩＳ）用の改良された無線識別アンテナシステムは、少なくとも２つのパッチアンテナ(21)は、パッチアンテナ群(A,B)を形成し、少なくとも２つのパッチアンテナ(21)は、出入口(3)の床面(5)に対して等しい距離でかつ／又は同じ水平面上に若しくは互いに変位し、少なくとも２つの隣接するパッチアンテナ(21)の中心点及び／又は重心を通る直線は、水平面及び／又は床面(5)に対して平行な平面に対して≦４５°の角度αを形成して、通路の進行方向(31)に監視領域を集束し狭小化する。【選択図】図１
2010527521.tif 000002
【特許請求の範囲】
【請求項１】
−商品識別システム（ＷＩＳ）用の少なくとも１つの無線識別アンテナ装置(1)を備え、少なくとも１つの無線識別アンテナ装置(1)により、マイクロチップを搭載した無線識別ラベル（タグ）から情報を読出すことができ、
−少なくとも２つの無線識別アンテナ装置(15,1)は、通路の進行方向(3')に延伸する出入口(3)に対して片側又は通路の進行方向(3')に延伸する出入口(3)の対向する両側に監視領域を形成し、
−無線識別アンテナ装置(1)は、監視すべき出入口(3)の片側に設けられる少なくとも２つのアンテナを有し、
−少なくとも２つのアンテナは、パッチアンテナ(21)を備え、
−出入口(3)に対して平行若しくは実質的に平行又は平行な成分をもって無線識別アンテナ装置(1)のパッチアンテナ(21)を延伸させ、
−出入口(3)の方向に又は少なくとも通路の進行方向(3')の成分をもって少なくとも２つのパッチアンテナ(21)を互いに変位して配置する商品識別システム（ＷＩＳ）用の無線識別アンテナシステムにおいて、
−少なくとも２つのパッチアンテナ(21)は、パッチアンテナ群(A,B)を形成して、通路の進行方向(3')に監視領域を集束して狭小化し、
−出入口(3)の床面(5)に対して同一の間隔でかつ／又は同一の水平面上に又は互いに対して変位して、少なくとも２つの隣接するパッチアンテナ(21)の中心及び／又は重心を通る直線が水平面及び／又は床面(5)に対して平行な平面に対して≦４５°の角度αを形成して、少なくとも２つのパッチアンテナ(21)を配置することを特徴とする商品識別システム（ＷＩＳ）用の無線識別アンテナシステム。
【請求項２】
互いに側方の変位をもって通路の進行方向(3')に２つ以上のパッチアンテナ(21)を配置した請求項１に記載の無線識別アンテナシステム。
【請求項３】
互いに側方の変位をもって互いに異なる高さ位置、特に床面(5)の水準に対して異なる高さ位置に、２つ以上のパッチアンテナ(21)を有する複数の群(A,B)を配置した請求項１又は２に記載の無線識別アンテナシステム。
【請求項４】
異なる位相角で駆動されて異なる上方傾斜角度又は下方傾斜角度を形成するパッチアンテナ(21)の群(A,B)を互いに異なる高さ位置に配置した請求項３に記載の無線識別アンテナシステム。
【請求項５】
パッチアンテナ(21)の群(A,B)の通路の進行方向(3')に互いに変位して配置される少なくとも２つのパッチアンテナ(21)を異なる位相角で駆動し、
通路の進行方向(3')に対して一方向又は逆方向に監視領域を調節可能できる請求項３又は４に記載の無線識別アンテナシステム。
【請求項６】
無線識別アンテナ装置(1)内にパッチアンテナの１群のみ又は協働する複数の群(A,B)を設けた請求項１〜５の何れか１項に記載の無線識別アンテナシステム。
【請求項７】
出入口(3)及び／又は出入口(3)の床面(5)に対して、≧０.３mかつ≦２mの高さに少なくとも１つ又は協働する複数の群のパッチアンテナを配置した請求項６に記載の無線識別アンテナシステム。
【請求項８】
パッチアンテナ(21)の１群又は協働する複数の群(A,B)を有する複数の領域(X1,X2)を設け、
無線識別アンテナ装置(1)又は側方の仕切り(1')の下方の高さ領域内と、下方の高さ領域より高い位置にある無線識別アンテナ装置(1)又は側方の仕切り(1')の領域内とに前記領域を配置する請求項１〜６の何れか１項に記載の無線識別アンテナシステム。
【請求項９】
垂直方向及び／又は高さ方向に変位して設けた２つの領域(X1,X2)内に単一又は協働する複数のパッチアンテナ(21)の群(A,B)をそれぞれ配置したアンテナ装置は、少なくとも０.１m、好ましくは２.０mより小さく、１.２m、好ましくは０.６mより小さい高さ間隔を有し、
出入口(3)の床面(5)に対し最下位置に配置されるパッチアンテナ(21)又は最下位置に配置される群のパッチアンテナ(21)の高さ間隔は、少なくとも０.３m、好ましくは０.３m〜１.５m又は１.２mまでである請求項８に記載の無線識別アンテナシステム。
【請求項１０】
好ましくは８００MHz〜１０００MHzＵＨＦ領域（帯域）内、特に８６８MHzＵＨＦ領域でパッチアンテナ(21)を放射させる請求項１〜９の何れか１項に記載の無線識別アンテナシステム。
【請求項１１】
接続領域(25)と、接続領域(25)の下に配置される基板(23)と、基板(23)の下に配置される接地面(27)とをパッチアンテナ(21)に設け、
電気容量をもって接地面(31)に対向してパッチアンテナ(21)を配置し又は接地面(31)に機械的又は電気的に接続し、
出入口(3)及び／又は通路の進行方向(3')に対して横方向、好ましくは垂直方向にパッチアンテナ(21)と接地面(31)を配置した請求項１〜１０の何れか１項に記載の無線識別アンテナシステム。
【請求項１２】
接続領域(25)と、接続領域(25)の下に配置される基板(23)と、接地面(31)とをパッチアンテナ(21)に設け、
出入口(3)及び／又は通路の進行方向(3')に対して横方向、好ましくは垂直方向にパッチアンテナ(21)と接地面(31)を配置した請求項１〜１０の何れか１項に記載の無線識別アンテナシステム。
【請求項１３】
基板(23)は、誘電体からなる請求項１１又は１２に記載の無線識別アンテナシステム。
【請求項１４】
基板(23)が空気間隙を有し、導電性のスペーサ（間隙保持部材）により接続領域(25)を位置決めして保持する請求項１１〜１３の何れか１項に記載の無線識別アンテナシステム。
【請求項１５】
パッチアンテナの少なくとも１つの群(A,B)は、互いに変位して配置される少なくとも２つのパッチアンテナ(21)を有し、
共通の接地面(31)に対向してパッチアンテナを配置する請求項１〜１４の何れか１項に記載の無線識別アンテナシステム。
【請求項１６】
少なくとも２つのパッチアンテナ(21)を有する群(A,B)は、共通の基板(23)を有し、
基板(23)の背面側に共通の接地面(27)を設け、
接地面(27)に対向して電気的に分離される少なくとも２つの接続領域(25)を放熱側の基板(23)上に形成した請求項１５に記載の無線識別アンテナシステム。
【請求項１７】
各パッチアンテナ(21)は、給電導線(37)を有し、
接地面(31)内の透孔(31')、透孔(31')に連続するパッチアンテナ(21)の各接地面(27)内の透孔(27')、透孔(27')に連続しかつ基板(23)を通じて延伸する通路(37)を通り接続領域(25)に設けられる給電位置(25')に給電導線を延伸させ、
接続領域(25)の下側に給電位置(25')を設けた請求項６〜１６の何れか１項に記載の無線識別アンテナシステム。
【請求項１８】
共通の接地面(31)に対向してパッチアンテナ(21)の群(A,B)を配置し、
５cm〜４０cmの間で高さ方向に接地面を延伸させた請求項１〜１７の何れか１項に記載の無線識別アンテナシステム。
【請求項１９】
無線識別アンテナ装置(1)及び／又は側方の仕切り(1')の下方の領域内で床面(5)への移行領域に設けられる付加的なパッチアンテナ(21)を備え、
上方を向く垂直成分をもって付加的なパッチアンテナ(21)の主放射方向及び／又は接続領域(25)を予め方向付けした請求項１〜１８の何れか１項に記載の無線識別アンテナシステム。
【請求項２０】
無線識別アンテナ装置(1)及び／又は側方の仕切り(1')の上方の端部領域に単一又は複数のパッチアンテナ(21)を設け、
下方を向く垂直成分をもってパッチアンテナ(21)の主放射方向及び／又は接続領域(25)を予め方向付けした請求項１〜１９の何れか１項に記載の無線識別アンテナシステム。
【請求項２１】
通路の進行方向(3')に及び／又は高さ方向及び／又は垂直方向に互いに変位して配置される協働する少なくとも２つのパッチアンテナ(21)を備え、
異なる位相、好ましくは調節可能な異なる位相でパッチアンテナを駆動する請求項１〜２０の何れか１項に記載の無線識別アンテナシステム。
【請求項２２】
床面(5)の領域内でかつ／又は出入口(3)の上方に少なくとも１つのパッチアンテナ(21)を配置し、又は床面(5)の領域内でかつ／又は出入口(3)の上方に複数のパッチアンテナ(21)を通路の進行方向(3')に互いに変位して配置した請求項１〜２１の何れか１項に記載の無線識別アンテナシステム。
【請求項２３】
電子式商品監視システム（ＥＡＳ）に属するアンテナ及び／又はフレームアンテナ(15)内にパッチアンテナ(21)を後付けしかつ／又は内蔵した請求項１〜２２の何れか１項に記載の無線識別アンテナシステム。
【請求項２４】
複数の無線識別アンテナ装置(1)及び／又は側方の仕切り(1')の間を通る複数の出入口(3)を形成して、複数の無線識別アンテナ装置(1)及び／又は側方の仕切り(1')を側方に変位をもって配置し、
中央の無線識別アンテナ装置(1)及び／又は側方の仕切り(1')内にパッチアンテナ(21)を組み込み、
パッチアンテナの一部を一方向に放射し、パッチアンテナの他の一部を対向する方向に放射してパッチアンテナに隣接する２つの出入口(3)を監視する請求項１〜２３の何れか１項に記載の無線識別アンテナシステム。
【請求項２５】
電子式商品監視システム（ＥＡＳ）に属するフレームアンテナ(15)を備え、
フレームアンテナ(15)内に少なくとも１つのパッチアンテナ(21)を内蔵し、
フレームアンテナ(15)を上面から見たとき、フレームアンテナ(15)の内部にパッチアンテナ(21)を内蔵した請求項１〜２４の何れか１項に記載の無線識別アンテナシステム。
【発明の詳細な説明】
【技術分野】
【０００１】
本発明は、請求項１の前文に記載する商品識別システム（ＷＩＳ）用の無線識別（「ＲＦＩＤ」）アンテナ装置を有する無線識別アンテナシステムに関する。
【背景技術】
【０００２】
商品を検出し識別するいわゆるＵＨＦ無線識別方法及びシステム（ＷＩＳ）は、公知である。検出すべき商品に無線識別タグが取り付けられる。同様に公知の電子的商品監視方法（いわゆるＥＡＳシステム）に比較して、この方法は、第一に、無線識別ラベルを用いて情報として個々のビットを評価できるだけでなく、ＵＨＦ無線識別ラベルにマイクロチップが設けられ、複数桁のワード長さを有する情報をマイクロチップに記憶させかつマイクロチップから情報を読出せる本質的な利点を提供する。アンテナシステムの電磁場からエネルギを得て無線識別タグから内容を読み出し、対応する情報を送り返す所謂受動的な無線識別タグを使用することが好ましい。無線識別タグは、マイクロチップを有するアンテナ構造を有する。電磁場によって駆動するのに必要なエネルギを例えばアンテナシステムを介して公知の所謂リーダからタグに供給し、マイクロチップを有するタグは、供給されるエネルギを使用して、然るべき応答として記憶される情報をリーダに送信し、アンテナシステムの後段に接続される無線識別リーダを介してその応答情報を読み出して、評価することができる。
【０００３】
電子式商品監視システム（ＥＡＳ）用の無線識別アンテナシステムの構造は、例えば特許文献１に開示される。無線識別アンテナシステムを使用して比較的大きいビット長さを有するデータを読み出す技術は、更に、非特許文献１に開示される。
【０００４】
その他、例えばデパート、商店等の出口での商品を保護する電子式商品監視システム（ＥＡＳ）も公知である。このシステムでは、互いに離間して配置される無線識別アンテナシステムの間に監視すべき通行路が出口又は通路の領域内に形成される。
【０００５】
商店内で購入する該当する製品と商品は、例えば電子式商品保護ラベルによって保護される。商品の代金が正式に支払われると、販売員は、該当する商品保護ラベルを除去するので、商品を所持する顧客は、監視される出口通路を問題なく通過できる。
【０００６】
代金未払いの保護状態にある商品が監視される出口通路を通って持ち出されるとき、例えば、監視される領域内で音響的な警告信号が通常出力されて、未払いの商品の店舗からの持出しが報知される。
【０００７】
様々な基礎技術でこの電子式商品保護システムを実現できる。
【０００８】
電子式商品監視システムは、監視領域及び読取領域内での所定のラベルの存否を認識する１−ビットトランスポンダの形式により作動する。
【０００９】
特許文献２は、出入口（ゲートウェイ）内に設置できるアンテナシステムの概略を示す。例えば、パッチアンテナで構成される無線識別アンテナシステム等様々なアンテナシステムを出入口に使用できる。その代りに、所謂ループアンテナ又はフォトニック（光学）バンドギャップアンテナも使用される。
【００１０】
出入口の他に、隣接する壁に前方、本来のドアフレーム内に前方、後方又はまた通路の進行方向に平行に延伸させて、本来のドアアーチ内に電波を放射する前記アンテナを配置することができる。
【００１１】
パッチアンテナを使用するとき、垂直方向の上下に（重ねて）配置した複数のパッチアンテナを同時に駆動することもできる。他の実施の形態に図示するこの種の複数のパッチアンテナを複数の分岐内に各垂直方向に延伸して配置し、共通に駆動し、開示する変形例では、所謂ダイバーシティスイッチ又はダイバーシティ結合器を使用することができる。電子式商品監視システムかつ／又は商品識別システムにこのシステムを利用することは、既に公開された先行技術文献には勿論開示されていない。電子式商品監視システム用のアンテナとその他に商品識別システムＷＩＳ用のアンテナを有する無線識別アンテナシステムを構築できることも、少なくとも既に公開された先行技術文献には、開示されていない。
【先行技術文献】
【特許文献】
【００１２】
【特許文献１】国際公開第ＷＯ９９／３０３８４号公報
【特許文献２】米国公開第２００６／０１３２３１２号公報
【非特許文献】
【００１３】
【非特許文献１】無線識別ハンドブック「基本三動作原理」：遠隔操作可能なＩＣカード及び識別の基礎と応用、第二版、２００３年クラウス・フィンケンツェラー著、ジョン・アンド・ワイリー社、国際標準図書番号０−４７０−８４４０２−７、１.２、１.３、２.３〜２.５.４及び３.１〜３.１.２章
【発明の概要】
【発明が解決しようとする課題】
【００１４】
従って、本発明の課題は、マイクロチップを有するタグから読み出す商品識別システム（ＷＩＳ）より改良された無線識別アンテナシステムを提供することにある。無線識別アンテナシステムは、原則的に単純に構築されたシステムでなければならず、必要な場合には様々な条件及び特殊性にも簡単に適合でき、最適な結果で該当する無線識別タグから情報を読み出せなければならない。本発明の好適な実施の形態では、更に、本発明に基づくアンテナシステムは、従来の電子式商品監視システム内にも確実に後付けできる必要がある。
【課題を解決するための手段】
【００１５】
本発明では、請求項１に記載する特徴によりこの課題が解決される。本発明の好適な実施の形態を下位請求項に記載する。
【００１６】
本発明による電子式商品識別システム（ＷＩＳ）は、簡単な構造とその高い柔軟性及び現場での様々な条件と特殊性への適合能力を一特徴とする。監視領域及び読取領域を異なる領域に調節して、誤機能を確実に回避できる。
【００１７】
従来技術と同様に、本発明によるシステムは、無線識別技術に基づいて作動される。
【００１８】
本発明では、監視すべき通過領域の側方に設けられるアンテナシステムは、通路の進行方向に又は少なくとも通路の進行方向の成分をもって互いに並置される少なくとも２つのアンテナを有し、高い「読取率（可読率）」と高い機能有用性とを有する簡素な構成で構築されるシステムを実現できる。同一の高さ位置（例えば、出入口の水準（レベル）に対して平行）に複数のアンテナを配置する必要は必ずしもなく、複数のアンテナを部分的に異なる高さ位置に配置することもできる。勿論、互いに隣接して配置される２つのアンテナシステムの中心点又は重心を通る直線は、水平面（又は出入口に対して平行に延伸する平面）に対して、４５°以下の角度偏差を形成することが好ましい。
【００１９】
本発明では、ＵＨＦ無線識別システムは、パッチアンテナを有し又はパッチアンテナで構成される。ＵＨＦ無線識別システムは、特に低い組立て高さを有し、フレーム形状のアンテナを備えることもある既存の電子式商品監視システムのアンテナシステム装置内、例えば既存の電子式商品監視システム監視システムのフレーム形状のアンテナの内部に、問題なく後付けすることができる。
【００２０】
通路の進行方向の側方に変位して又は通路の進行方向の成分をもって互いに変位して配置される２つのパッチアンテナにより、簡単な手段で監視領域の集束の改良が実現される。その点では、本発明の無線識別アンテナシステムは、本質的な利点を提供する。即ち、マイクロチップを搭載する無線識別タグを有する製品を所持する人が実際に所定の読取領域（監視領域）を通過する場合にのみ、無線識別タグを有する商品又は製品を放射指向性により検出し読み出すので、読取領域の近傍を通過するのみでは、無線識別タグを検出できない。例えば、特に、側方に設置される２つのアンテナシステムが監視する通路の近傍（例えば、商店内）を人が歩いて通過する際に、無線識別タグにより保護される製品が既にアンテナシステムの検出領域及び／又は読取領域内に到達して、早すぎる検出作動を確実に阻止できる。
【００２１】
本発明に使用するパッチアンテナを個別のパッチアンテナとして形成できる。しかしながら、例えば、共通の接地面上、共通の基板上等に形成される組合わせパッチアンテナとして形成できるので、互いに分離して接続領域のみを基板上に配置できる。その場合に、任意の変形例が可能である。
【００２２】
本発明の特に好適な実施の形態では、例えば、２つの異なる水準又は平面上に少なくとも２対のパッチアンテナを重ねて各側方アンテナ装置に配置できる（前記のように、同一の高さ水準に各対をなして協働するパッチアンテナを配置する必要は必ずしもなく、少なくとも適切な程度に互いに変位して配置できる）。
【００２３】
しかしながら、２つのみでなく、２つ以上のアンテナ、例えば３つ又は４つ以上のパッチアンテナを通路の進行方向に配置して使用し、監視領域を出入口の方向に極力狭い通過領域に放射を指向集束させることもでき、それに伴い領域の狭小化を実現できる。換言すれば、水平面（水平に延伸する出入口）でのアンテナ領域とそれに伴って監視領域の放射を集束させるので、アンテナ装置が監視する通過領域は、出入口の３方向（通常は水平方向）に極力僅かな寸法のみにわたり延伸する。
【００２４】
好適な前記変形例を補足して、更に、アンテナシステムを収容する側方の仕切り装置から床領域（及び／又は天井領域）に移行する下方の移行領域内に、検出に用いる付加的なアンテナ装置、同様に、特にパッチアンテナを対の配置でかつ特に通路の進行方向に互いに変位して、効果的に使用することが好ましい。床への移行領域及び／又は天井への移行領域内で、パッチアンテナは、機械的にその主放射方向が出入口の平面に対して実質的に平行ではなく、それとは異なり垂直方向に延伸する成分をもって方向付けて予め調節できることが好ましい。従って、極めて低く配置されるアンテナシステムの主放射方向を幾分上方に方向付けると共に、極めて高く配置されるアンテナシステムの主放射方向を幾分下方に向かって方向付けることができる。それにより、アンテナの位置に関係なく、監視領域を最適化することができる。
【００２５】
しかしながら、その代りに又はそれに加えて、アンテナの電子的放射方向の決定及び／又は調整を行って、少なくともある程度異なる認識領域及び／又は読取領域に放射方向を予め調節して、最適化することもできる。例えば、重ねて配置する２つのパッチアンテナ間の予め定められた位相差（位相オフセット）又は場合により調節可能な位相差によりアンテナの放射方向を調整することができる。
【００２６】
同様に、本発明では、通路の進行方向に互いに隣接して取り付けられる２つのパッチアンテナの機械的な予備調整及び／又は給電により位相差を実現できるので、２つのパッチアンテナ間の対称平面から出入口の一方向又は他方向に監視すべき放射領域を変更することができる。
【００２７】
本発明では、パッチアンテナは、線形又は円形に偏波されて作動する。その点では、特に、読取領域を通過する際の無線識別タグの方向に関係なく、円形に偏波されるパッチアンテナの駆動により、無線識別タグを搭載する商品を常に確実に認識して、無線識別タグ上に記憶される情報を問題なくかつ完全に読み出させる利点がある。
【００２８】
例えば、８００MHz〜１０００MHzＵＨＦ領域（特に８００MHz〜９５０MHz領域、例えば８６８MHz領域）内で無線識別システムを作動することが好ましい。パッチアンテナの読取り幅を１.５mまで又はそれ以上（例えば２mまで等）に設定できる。
【００２９】
更に、本発明の好適な実施の形態では、本発明に使用する商品識別システム（ＷＩＳ）に連係するアンテナ装置は、電子式商品監視システム（ＷＡＳ）用の既存の無線識別アンテナシステムに後に搭載して、後付けにより、電子式商品監視システムシステム又は商品識別システムの機能及び作用方法が損なわれない。
【００３０】
図１〜図９について説明する実施の形態から本発明の他の利点、詳細及び特徴は、明らかとなろう。
【図面の簡単な説明】
【００３１】
【図１】電子式商品識別システム（ＷＩＳ）の監視領域又は監視通路を示す斜視図
【図２】本発明に使用する電子式商品監視システム（ＥＡＳ）用のＵＨＦアンテナ装置を通過視線方向に示す正面図
【図３】使用するパッチアンテナペアを示す平面図
【図４】通路の進行方向に平行に図３のパッチアンテナペアを配置した横断面図
【図５】図３とは異なる実施の形態を示す断面図
【図６】図３及び４とは異なるパッチアンテナペアの実施の形態を示す平面図
【図７】異なる実施の形態に使用するパッチアンテナを示す平面図
【図８】可能な実施変形例を示す側面図
【図９】図８と同様な表示で簡略化した変形実施の形態を示す側面図
【発明を実施するための形態】
【００３２】
図１には、互いに離間して配置される２つのアンテナ装置1を有し、アンテナ装置1間を通り、床面5上に通路の進行方向3'に沿って出入口3が延伸する電子式商品識別システム（ＷＩＳ）の図式的な基本構造を示す。
【００３３】
アンテナ装置1は、側方の仕切り1'形式により形成され、仕切り1'は実質的に、床面5に対して横方向、又は特に垂直に延伸する高さ又は垂直寸法7、出入口3に対して平行若しくは実質的に平行又は平行の成分を持って延伸する幅又は水平若しくは横寸法9及び横寸法9に対して比較的狭く形成される通路の進行方向3に対して横方向又は垂直、特に床面5に対して平行な厚み11を有する。
【００３４】
出入口3及び通路の進行方向3'に対して左及び対向する右に配置されるアンテナ装置1と側方の仕切り1'との間に、出入口3に対して横方向及び通路の進行方向3'に対して横かつ特に垂直に延伸するアンテナ装置によって監視すべき通過領域が形成される。
【００３５】
また、矩形のフレームアンテナ15を図１に破線で示す。これは、商品識別システム（ＷＩＳ）の本発明には属しない。単に、商品識別システム（ＷＩＳ）用の本発明に基づく無線識別（「ＲＦＩＤ」）アンテナ装置を側方の仕切り1'内に収容できることを示すに過ぎず、例えば、従来の電子式商品監視システム（ＥＡＳ）用のアンテナ装置、例えば矩形のフレームアンテナ15を側方の仕切り内に収容して使用される。
【００３６】
側方の仕切り1の基部領域1"内に送信ユニット及び／又は評価ユニット17を設けることが好ましい。
【００３７】
更に以下詳細に説明する電子式商品識別システム（ＷＩＳ）用の本発明に使用するアンテナ装置を既存の電子式物品監視システム（ＥＡＳ）内に後付けする限り、この種の電子式商品監視システムについて、従来技術として公知のシステムを参照すべきである。通常、例えば、周波数領域１０Hz〜２０ｋHz［例えば電磁的な方法を適用する場合又は例えば無線周波数方法を使用するとき、８〜９MHz（通常８.２MHz）］内でこの種のシステムが、作動される。
【００３８】
後に更に詳細に説明する商品識別システム（ＷＩＳ）用のＵＨＦ無線識別装置が使用され、そのために付加的なアンテナがパッチアンテナの形式で設けられる。
【００３９】
前記のように、商品識別システム（ＷＩＳ）は、特にマイクロチップを有する無線識別タグを使用して、製品に関する情報、即ち該当する無線識別タグを取り付ける製品に関する情報を検出しかつ読み出すために用いられる。最終的に、他のステップで、電子式物品監視装置を構築するため（例えば、無線識別タグ上に記憶される製品に関する情報を読み出して、該当する無線識別タグを有する製品の代金が既に支払済みか否かを照会するために、例えばＰＯＳシステムを介して記憶される情報と比較する場合）この情報を一緒に利用することもできる。
【００４０】
ＵＨＦ無線識別商品識別システムの第１の実施の形態の概略図を図１に示す。
【００４１】
図１では、矩形状のフレームアンテナ15の内部に側方の仕切り1'又は側方のアンテナ装置1の上方の領域内に各１対のパッチアンテナ21を配置し、他の２対のパッチアンテナ21を下方の領域内に配置する。
【００４２】
図３の垂直の平面図と図４の断面図に示すように、パッチアンテナは、基板23（誘電材料又は空気を備える）を有するアンテナであり、基板23の上方若しくは下方に上に配置される接続領域25又は下に配置される接地面27が設けられる。接続領域25及び接地面27は、互いに基板23の厚みに対応する間隔23'で配置される。
【００４３】
図４に示すように、２つのパッチアンテナ21は、接地面31に対向して平行に配置され、各パッチアンテナ21の下方の接地面27は、接地面31から電気的に分離して（接地面31に対して電気容量をもって）配置される。接地面31は、平面図で見て、全ての方向にパッチアンテナ21を超えて突出して側方に張り出す。例えば、金属若しくは金属薄板から又は例えば銅により被覆される導体配線基板により接地面31を形成できる。
【００４４】
例えば接地面31上に接着剤を使用して接着する（接着剤が電気的に非導電性のとき）従来のパッチアンテナを使用するとき、パッチアンテナ21の接地面27を共通の接地面31から電気的に分離することが問題になる。原則的に、下方の接地面27を直接、機械的又は電気的に接触しながら、接地面31上にパッチアンテナ21を載置することもできる。例えば、パッチアンテナの基板23を接地面31上に直接形成して、基板23上の接地面27を原則的に省略できる。
【００４５】
また、前記実施の形態では、下方の共通の接地面31に透孔31'を形成し、透孔31'に同軸の透孔27'をパッチアンテナ21に属する接地面27内に形成し、透孔31'に同軸に基板23を貫通するスルーホール35を形成するので、給電位置25'で接続領域25に電気的に接続される給電導線37は、この装置全体を通して延伸する。
【００４６】
その代りに、給電位置25'の領域内で電気容量的に接続領域25に結合することもできる。また、例えば、基板23の表面上に給電導線37を配置しかつ／又は延伸し（接続領域の平面に対して平行に）、例えば、接続領域の端縁で、給電導線37を接続領域に接続させて接続領域25を設けることもできる。しかしながら、Ｕ字状の切欠部等を接続領域25に形成できるので、例えば、接続領域25の平面内に延伸する給電導線をＵ字状の切欠部の端部で（接続領域の一周する端縁に対して更に内側に変位して）接続領域に電気的に接続される。
【００４７】
図示の実施の形態では、下方に配置される接地面27は、基板23の周側面123まで延伸するが、間隔39をもって基板23の側面123の側境界の前で終了する図３の平面図に示す接続領域25は、平面図上パッチアンテナ21の下方の接地面27よりも小さい長さと面積で形成される。
【００４８】
図示の実施の形態では、少なくともほぼ正方形に形成されるパッチアンテナ21の面の対角線に配置される２つの角部に、アンテナの同調用の斜面41が設けられる。
【００４９】
基板23に空気間隙を形成するとき、接続領域25を機械的に保持するのみの目的で設けられる誘電性のスペーサ（間隙保持部材）により接続領域25を接地面21に対して間隔をもって保持しかつ固定できる。
【００５０】
図３及び図４に示すように、側方間隔43（即ち隣接する２つのパッチアンテナの互いに向き合う側境界面123間にある側方間隔43）で、前記の構成を有する２つのパッチアンテナ21は、特に共通の接地面31上に配置される。
【００５１】
図示の実施の形態では、パッチアンテナ21の２つの中心点又は２つのパッチアンテナ21の重心の間の間隔を符号45で示す。
【００５２】
中心間隔45は、使用するパッチアンテナの駆動周波数、好ましくは使用する周波数の中心波長に関するλ（ラムダ）の０.２倍より大きく又はそれと等しく、例えば０.２×３４cm≒５cmである。
【００５３】
例えば、ＵＨＦ無線識別アンテナシステムが、周波数８６８MHzで作動するときの最適な中心間隔は、下式で表わされる：
０.５×λ（≒０.５×３４cm≒１７cm）
【００５４】
しかしながら、同一形状又は同一大きさでパッチアンテナ21を形成する必要は必ずしもない。正確に水平に離間して、通路の進行方向3'に対して平行に２つのパッチアンテナを配置する必要も必ずしもない（図示の実施の形態では、水平に延伸する通路の進行方向3'を、床面5に対して平行に延伸すると仮定する）。
【００５５】
図５は、協働するパッチアンテナ対を原則的に全部で２つ個別のパッチアンテナ21で形成する必要はなく、共通の構造で設けられることを示す。
【００５６】
図５に示すパッチアンテナ対は、共通の基板23の下側に設けられる共通の接地面27と、基板23の上側に互いに分離して形成される２つの接続領域25と、給電位置25'で２つの接続領域25の各々に個別に接続される複数の給電導線37とを備え、給電導線37は、連係する接続領域25まで延伸する。形成されるパッチアンテナ対では、基板23の下側の接地面27は、共通の接地面31の上方に僅かな間隔で配置され、共通の接地面31に対して狭い間隔で延伸する。
【００５７】
部分的に図示するパッチアンテナ対は、通路の進行方向3'に互いに異なる位置に配置される。通路の進行方向3'に対して正確に平行にパッチアンテナ対を配置する必要はない。例えば、連続的に拡幅する通路又は狭くなる通路でも、通路の進行方向3'内にある垂直平面からパッチアンテナ21の連係する接続領域25までの側方間隔は、相違してもよい。少なくとも２つのパッチアンテナ21が協働するパッチアンテナの第１の群（グループ）Aを形成する本発明によるパッチアンテナ対の基本形態を示す。しかしながら、通路の進行方向に又は通路の進行方向に互いに変位する成分をもって、例えば３つのパッチアンテナ等の更に多くのパッチアンテナを配置することもできる。
【００５８】
図６は、通路の進行方向3'のみならず、高さ方向又は垂直方向7にも、互いにある程度の偏心し又はずれて配置できるこの種協働する対のパッチアンテナ21を示す。しかしながら、連係するパッチアンテナ対の中心点又は重心を通る直線47が、水平面に対して又は出入口又は床面5に対して平行に延伸する平面48に対して、４５°以下の角度αで高さ方向及び／又は垂直方向に最大偏差を与えることが好ましい。
【００５９】
しかし付加的に、図１〜６に示すパッチアンテナを互いに回転して配置してもよいので、例えば、あるパッチアンテナでは給電位置25'を少し上に配置し、隣接するパッチアンテナでは少し下側に配置し、又はあるパッチアンテナでは右側に配置し、他のパッチアンテナでは左側に配置できる。また、給電位置25’の場所は、原則的に制限されない。
【００６０】
図７は、例えば、アンテナ装置1内に使用できる４群又は複数の２群若しくは４群のパッチアンテナ21を示す。
【００６１】
図７に示す実施の形態では、下側又は低位置に配置されるパッチアンテナ群（グループ）A（パッチアンテナ対Aの形式）の他に、パッチアンテナ群Aより高い位置に配置される第２のパッチアンテナ群（グループ）B（高い位置にあるパッチアンテナ対Bの形式）が設けられ、高い位置にあるパッチアンテナ対Bは、同一高さ位置又は垂直位置（必ずしも同一高さ又は垂直位置である必要はない）を有するが、勿論、下方のパッチアンテナ対Aに対して通路の進行方向3'に異なる位置に配置される。それにより、上に配置されるパッチアンテナ対の２つのパッチアンテナ21の間により大きい側方変位又は側方間隙43〜45が生じる。このように、パッチアンテナ群A若しくはBの各々又は他のパッチアンテナ群に２つ以上のパッチアンテナを設けてもよく、通路の進行方向に又は通路の進行方向の成分をもって、２つ以上のパッチアンテナを互いに変位して配置できる。
【００６２】
図示の実施の形態とは異なり、図７に示すように、全てを同一方向又は同一位置ではなく、異なる箇所に給電位置25'を配置することができる。
【００６３】
水平方向若しくは通路の進行方向3'又は高さ方向若しくは垂直方向7の内側間隔43を数mmから数cmの大きさにできる（この大きさ領域への原則的な限定なし）。
【００６４】
この実施の形態では、例えば、上方の列Bのパッチアンテナ21に比較して、互いに位相差（オフセット）をもって下方の列Aのパッチアンテナ21に給電できるので、電気的な上方傾斜角（Up-Tilt）が生じる又は必要な場合に、それぞれ配置に応じて電気的な下方傾斜（Down-Tilt）が生じる他の利点が得られる。換言すると、どちらかと言うと、垂直方向上方又は下方に主放射方向又は中心軸放射（メインローブ）が電気的に予め調節される。それにより、監視領域の所定の微調整、微適合を行うことができる。
例えば、図７に示す４つのパッチアンテナを図１に示す下方の監視領域X1内に使用するとき（図１）、下方の床から上方に向かい監視領域を離間させてパッチアンテナの駆動を電気的に予め調節することができる。
従って、例えば、図７に示すこの種のパッチアンテナ群をアンテナ装置1の下方領域内で使用するとき（図１）、異なる列又は平面内に互いに重ねて配置したパッチアンテナを異なる位相で駆動することにより、例えば中心軸放射又は主監視領域をパッチアンテナの接地面31に対して垂直に延伸させず、垂直方向成分をもって上方に向かって延伸するように方向付けることができる。
例えば、図７に示すパッチアンテナ群をアンテナ装置1の上方領域X2内に使用するとき（図１）、例えば、パッチアンテナの中心軸放射又は主放射方向が所定の角度領域内で下方に向かって延伸して、監視領域内に方向付けて異なる位相で給電を行うことができる。
しかし同様に、パッチアンテナの主放射方向（中心軸放射方向）に従って、出入口3に対して横方向に延伸する中心対称平面から一方向又は逆方向に監視領域を逸らす方向に、ほぼ同一高さ位置に隣接して並置する群A及び／又はBの２つのパッチアンテナ21を互いに異なる位相で駆動することができる。
【００６５】
図２に示すように、例えば更に補足して、床領域内、天井領域内に又は例えばアンテナ装置1の基部領域1"に（又はアンテナ装置1の上方の終端領域にも）、付加的なパッチアンテナ21を設けることができる。ここでは、個々のパッチアンテナを使用することもできる。しかしながら、通路の進行方向に又は通路の進行方向の成分をもって、互いに変位して配置される複数のパッチアンテナ、少なくともそれぞれ１対のパッチアンテナ又は例えば３、４又はそれより多いパッチアンテナを使用するのが好ましい。図７について説明したように、特に、下方の基部領域に又は上方の終端領域に設けられるパッチアンテナは、電子的に放射成形及び放射方向付けせずに、上方又は下方に機械的に予め調節して方向付けすることもできる。側方部分1'の下方又は上方の領域内に、又は底領域内に、又は通路の上方に（例えば天井に、又は天井から懸架して）、付加的なパッチアンテナとしてパッチアンテナを使用するとき、個別のパッチアンテナを使用することができる。しかしながら、通路の進行方向に又は少なくとも通路の進行方向成分をもって、変位して配置される２つ以上のパッチアンテナを並べて使用して、パッチアンテナが協働するパッチアンテナの群を形成するのが好ましい。
【００６６】
図１、図２及び図８は、例えば互いに側方間隔51で配置する２つの側方のアンテナ装置1、即ち２つの側方の仕切り1'を示し、例えば０.８m〜２.５mの間、特に１.４〜２.０mの間で側方間隔を変更できる（下方又は上方に前記限界を超えてもよい）。
【００６７】
側方のアンテナ装置1、即ち側方の仕切り1'は、例えば平均１.０m〜１.８０m又は２.０mの高さ7を有するのが好ましい。
【００６８】
パッチアンテナ又はパッチアンテナペア、即ち連係する接地面31の高さは、例えば５cm〜４０cmの間が好ましい。
【００６９】
図１、図２又は図８により、２つの組合せパッチアンテナ125aと125b（例えば、図１、図２又は図８に示す下方の領域X1及び上方の領域X2内に設けられた組合せパッチアンテナAと組合せパッチアンテナB）を使用するとき、下方の組合せパッチアンテナ125aと床面との間隔55を少なくとも０.３〜１mとすべきである。下方の組合せパッチアンテナ125aと上方の組合せパッチアンテナ125b間の間隔57を０.１m〜２mの間、特に約０.２m〜１.２mとするのが好ましい。特に高い側方の仕切り1'を使用して、上方のアンテナ装置を特別な位置に配置するとき、間隔55,57を任意に大きくすることも可能である。
【００７０】
図９に示すように、連係する接地面31を有する組合せパッチアンテナのみを使用するとき、組合せパッチアンテナ125と床5との間隔を、少なくとも０.５m以上にすべきであり、装置の全体高さも１〜２mとすることができる。
【００７１】
電子式商品識別システム（ＷＩＳ）を実現するのに使用するパッチアンテナ21は、例えば８００MHz〜９５０MHz又は１０００MHzのＵＨＦ周波数領域内（特に８６８MHzの領域内）で作動することが好ましい。前記パッチアンテナなしで作動する従来のＥＳＡ監視システムに加えて、電子式商品識別システムを使用するとき、従来の監視システムを使用し、（特に電磁的な電子式商品監視システム方法では）例えば１０Hz〜２０KHz内で作動し、特にそれが無線周波数電子式商品監視システム法のとき、５MHz〜１０MHz領域内（例えば８.２MHz）で作動することが好ましい。
【００７２】
本発明に使用するパッチアンテナは、無線識別監視システムに使用するので、まだ無線識別タグを携行し、出入口に沿って通過する際に認識されて、「リーダ」を用いて対応する情報を読み出して評価できるとき、監視すべき製品、商品及び／又は人等を検出することができる。
【００７３】
特に、出入口を用いて本発明のシステムを説明する。しかしながら、図１及び図２について説明した出入口に沿う通過ゲートを備える監視システムでは、例えば５つの側方の仕切り1'を並置することにより、互いに平行に延伸する４つの出入口3を形成して、側方間隔を空けて側方の仕切りを多重に構築できる。中央に位置されるアンテナ装置1内に（即ち最も外側に配置されるアンテナ装置１内ではなく）、パッチアンテナを組み込んで、一方向に一部を放射し、対向する方向に一部を放射して、２つの出入口をそれぞれ検出することができる。
【００７４】
原則的に、監視すべき出入口に対して対向して配置する１対のこの種のアンテナ装置1、即ち該当する各アンテナ装置１又は側方の仕切り1'、を設けて、出入口を監視する前記アンテナ装置1を組み込んで使用できる。
【００７５】
従って、前記通路の進行方向に使用する２つ又は２つ以上のパッチアンテナにより、極力狭い通過領域に対して、出入口方向に監視領域を狭くすることができる。換言すると、水平面内でアンテナ領域とそれに伴う監視領域の放射を集束できるので（出入口が水平に延伸する場合）、アンテナ装置により監視する通過領域（監視領域）は、通路の進行方向3'に極力小さい寸法にのみ延伸する。
【符号の説明】
【００７６】
(1)・・無線識別アンテナ装置、  (3)・・出入口、  (3')・・進行方向、  (5)・・床面、  (21)・・パッチアンテナ、
【図１】
2010527521.tif 000003
【図２】
2010527521.tif 000004
【図３】
2010527521.tif 000005
【図４】
2010527521.tif 000006
【図５】
2010527521.tif 000007
【図６】
2010527521.tif 000008
【図７】
2010527521.tif 000009
【図８】
2010527521.tif 000010
【図９】
2010527521.tif 000011
【手続補正書】
【提出日】平成21年4月16日(2009.4.16)
【手続補正１】
【補正対象書類名】明細書
【補正対象項目名】００１１
【補正方法】変更
【補正の内容】
【００１１】
パッチアンテナを使用するとき、垂直方向の上下に（重ねて）配置した複数のパッチアンテナを同時に駆動することもできる。他の実施の形態に図示するこの種の複数のパッチアンテナを複数の分岐内に各垂直方向に延伸して配置し、共通に駆動し、開示する変形例では、所謂ダイバーシティスイッチ又はダイバーシティ結合器を使用することができる。電子式商品監視システムかつ／又は商品識別システムにこのシステムを利用することは、既に公開された先行技術文献には勿論開示されていない。電子式商品監視システム用のアンテナとその他に商品識別システムＷＩＳ用のアンテナを有する無線識別アンテナシステムを構築できることも、少なくとも既に公開された先行技術文献には、開示されていない。
他の無線識別ベースの商品識別システムは、例えば特許文献３により公知である。商品識別システムは、購入商品の出入口として使用される架台形状アレイを有し、この架台状アレイの左側及び対向する右側にタグを読み出す多数のパッチ放熱部がそれぞれ配置される。また、多数のパッチ放熱部を有する他のアレイは、天井構造に固定され、下方に向けて放射することにより、付加的に全てのタグを読み出すことができる。
説明する実施の形態から明らかなように、例えば、２つの上方のパッチ個別放熱部と２つの下方のパッチ個別放熱部とを備えるそれぞれ２群のパッチアレイを通路の進行方向に使用し、全て共通に給電される。
【手続補正２】
【補正対象書類名】明細書
【補正対象項目名】００１２
【補正方法】変更
【補正の内容】
【００１２】
【特許文献１】国際公開第ＷＯ９９／３０３８４号公報
【特許文献２】米国公開第２００６／０１３２３１２号公報
【特許文献３】欧州特許公開第０５９８６２４号公報
【手続補正３】
【補正対象書類名】明細書
【補正対象項目名】００２０
【補正方法】変更
【補正の内容】
【００２０】
通路の進行方向側方に変位して又は通路の進行方向成分をもって互いに変位して配置され、パッチアンテナ群をそれぞれ形成する２つ以上のパッチアンテナアレイによって、簡単な手段により監視領域の改良された放射集束を実現できる。その点では、本発明の無線識別アンテナシステムは、本質的な利点を提供する。即ち、マイクロチップを搭載する無線識別タグを有する製品を所持する人が実際に所定の読取領域（監視領域）を通過する場合にのみ、無線識別タグを有する商品又は製品を放射指向性により検出し読み出すので、読取領域の近傍を通過するのみでは、無線識別タグを検出できない。例えば、特に、側方に設置される２つのアンテナシステムが監視する通路の近傍（例えば、商店内）を人が歩いて通過する際に、無線識別タグにより保護される製品が既にアンテナシステムの検出領域及び／又は読取領域内に到達して、早すぎる検出作動を確実に阻止できる。
【手続補正４】
【補正対象書類名】明細書
【補正対象項目名】００２５
【補正方法】変更
【補正の内容】
【００２５】
しかしながら、その代りに又はそれに加えて、アンテナの電子的放射方向の決定及び／又は調整を行って、少なくともある程度異なる認識領域及び／又は読取領域に放射方向を予め調節して、最適化することもできる。
【手続補正５】
【補正対象書類名】明細書
【補正対象項目名】００２６
【補正方法】変更
【補正の内容】
【００２６】
本発明では、放射集束は、機械的な予備調整により又は通路の進行方向に互いに隣接して取り付けられた２つのパッチアンテナが位相差（オフセット）をもって給電することにより可能であり、監視すべき領域を２つのパッチアンテナの間の対称平面から出入口の一方向又は他方向に変位させることができる。
【手続補正６】
【補正対象書類名】明細書
【補正対象項目名】００６０
【補正方法】変更
【補正の内容】
【００６０】
図７は、アンテナ装置1内に２群を２つ以上使用できることを示す。
【手続補正７】
【補正対象書類名】明細書
【補正対象項目名】００６４
【補正方法】変更
【補正の内容】
【００６４】
本実施の形態では、群A及び／又はBのほぼ等しい高さ位置に隣接して並置されるパッチアンテナ21間の異なる位相で駆動して、パッチアンテナの主放射方向（中心軸放射方向）に従って、出入口3に対して横方向に延伸する中心対称平面から一方向又は逆方向に変位させて監視領域を方向付けできる。
【手続補正８】
【補正対象書類名】明細書
【補正対象項目名】００６５
【補正方法】変更
【補正の内容】
【００６５】
図２に示すように、例えば更に補足して、床領域内、天井領域内に又は例えばアンテナ装置1の基部領域1"に（又はアンテナ装置1の上方の終端領域にも）、付加的なパッチアンテナ21を設けることができる。ここでは、個々のパッチアンテナを使用することもできる。しかしながら、通路の進行方向に又は通路の進行方向の成分をもって、互いに変位して配置される複数のパッチアンテナ、少なくともそれぞれ１対のパッチアンテナ又は例えば３、４又はそれより多いパッチアンテナを使用するのが好ましい。下方に向かって方向付けして予め調節することもできる。側方部分1'の下方又は上方の領域内に、又は底領域内に、又は通路の上方に（例えば天井に、又は天井から懸架して）、付加的なパッチアンテナとしてパッチアンテナを使用するとき、個別のパッチアンテナを使用することができる。しかしながら、通路の進行方向に又は少なくとも通路の進行方向成分をもって、変位して配置される２つ以上のパッチアンテナを並べて使用して、パッチアンテナが協働するパッチアンテナの群を形成するのが好ましい。
【手続補正９】
【補正対象書類名】特許請求の範囲
【補正対象項目名】全文
【補正方法】変更
【補正の内容】
【特許請求の範囲】
【請求項１】
−商品識別システム（ＷＩＳ）用の少なくとも１つの無線識別アンテナ装置(1)を備え、少なくとも１つの無線識別アンテナ装置(1)により、マイクロチップを搭載した無線識別ラベル（タグ）から情報が読出すことができ、
−少なくとも２つの無線識別アンテナ装置(15,1)は、通路の進行方向(3')に延伸する出入口(3)の片側又はそれらの間で通路の進行方向(3')に延伸する出入口(3)の対向する両側に監視領域を形成し、
−無線識別アンテナ装置(1)は、少なくとも２つ以上のパッチアンテナ(21)を有し、前記パッチアンテナは、監視すべき出入口(3)の片側に設けられ、
−出入口(3)に対して平行若しくは実質的に平行又は平行な成分をもって無線識別アンテナ装置(1)のパッチアンテナ(21)を延伸させ方向付ける無線識別アンテナシステムにおいて、
−少なくとも２つ又はそれより多いパッチアンテナ(21)は、パッチアンテナ群(A,B)を形成して、通路の進行方向(3’)に監視領域を集束して狭小化し、
−出入口(3)の方向に又は通路の進行方向(3')の成分をもって互いに変位し、出入口(3)の床面(5)に対して同一間隔でかつ／又は同一水平面上に若しくはそれに対して変位し、２つの隣接するパッチアンテナ(21)の中心点及び／又は重心を通る直線は、水平面及び／又は床面(5)に対して平行な平面に対して≦４５°の角度αを形成して、パッチアンテナ群(A,B)の少なくとも２つ以上のパッチアンテナ(21)を配置することを特徴とする無線識別アンテナシステム。
【請求項２】
互いに側方の変位をもって配置された２つ以上のパッチアンテナ(21)を有する複数のパッチアンテナ群(A,B)を設け、互いに異なる高さでかつ床面(5)の水準に対して異なる高さに複数のパッチアンテナ群(A,B)を配置する請求項１に記載の無線識別アンテナシステム。
【請求項３】
パッチアンテナ(21)の群(A,B)の通路の進行方向(3')に互いに変位して配置される少なくとも２つのパッチアンテナ(21)を異なる位相角で駆動し、
通路の進行方向(3')に対して一方向又は逆方向に監視領域を調節可能できる請求項１又は２に記載の無線識別アンテナシステム。
【請求項４】
出入口(3)及び／又は出入口(3)の床面(5)に対して≧０.３mかつ≦２mの高さに少なくとも１つ又は複数の群のパッチアンテナを配置する請求項１〜３の何れか１項に記載の無線識別アンテナシステム。
【請求項５】
パッチアンテナ(21)の単一又は複数の群(A,B)を有する複数の領域(X1,X2)を設け、
無線識別アンテナ装置(1)又は側方の仕切り(1')の下方の高さ領域内と、それに対して高い位置にある無線識別アンテナ装置(1)又は側方の仕切り(1')の領域内とに前記領域を配置する請求項１〜４の何れか１項に記載の無線識別アンテナシステム。
【請求項６】
垂直方向及び／又は高さ方向に変位して設けた２つの領域(X1,X2)内に単一又は複数の群(A,B)のパッチアンテナ(21)をそれぞれ配置したアンテナ装置は、少なくとも０.１m、好ましくは２.０mより小さく、１.２m、好ましくは０.６mより少ない高さ間隔を有し、
出入口(3)の床面(5)に対し最下位置に配置されるパッチアンテナ(21)又は最下位置に配置される群のパッチアンテナ(21)の高さ間隔は、少なくとも０.３m、好ましくは０.３m〜１.５m、特に１.２mまでである請求項１〜５の何れか１項に記載の無線識別アンテナシステム。
【請求項７】
好ましくは８００MHz〜１０００MHzＵＨＦ領域（帯域）内、特に８６８MHzＵＨＦ領域でパッチアンテナ(21)を放射させる請求項１〜６の何れか１項に記載の無線識別アンテナシステム。
【請求項８】
接続領域(25)と、接続領域(25)の下に配置される基板(23)と、基板(23)の下に配置される接地面(27)とをパッチアンテナ(21)に設け、
電気容量をもって接地面(31)に対向してパッチアンテナ(21)を配置し又は接地面(31)に機械的又は電気的に接続し、
出入口(3)及び／又は通路の進行方向(3')に対して横方向、好ましくは垂直方向にパッチアンテナ(21)と接地面(31)を配置した請求項１〜７の何れか１項に記載の無線識別アンテナシステム。
【請求項９】
接続領域(25)と、接続領域(25)の下に配置される基板(23)と、接地面(31)とをパッチアンテナ(21)に設け、
出入口(3)及び／又は通路の進行方向(3')に対して横方向、好ましくは垂直方向にパッチアンテナ(21)と接地面(31)を配置した請求項１〜８の何れか１項に記載の無線識別アンテナシステム。
【請求項１０】
基板(23)は、誘電体からなる請求項８又は９に記載の無線識別アンテナシステム。
【請求項１１】
基板(23)が空気間隙を有し、導電性のスペーサ（間隙保持部材）により接続領域(25)を位置決めして保持する請求項８〜１０の何れか１項に記載の無線識別アンテナシステム。
【請求項１２】
パッチアンテナの少なくとも１つの群(A,B)は、互いに水平変位をもって配置される少なくとも２つのパッチアンテナ(21)を備え、
共通の接地面(31)に対向してパッチアンテナを配置する請求項１〜１１の何れか１項に記載の無線識別アンテナシステム。
【請求項１３】
少なくとも２つのパッチアンテナ(21)を有する群(A,B)は、共通の基板(23)を有し、
基板(23)の背面側に共通の接地面(27)を設け、
接地面(27)に対向して電気的に分離される少なくとも２つの接続領域(25)を放熱側の基板(23)上に形成した請求項１２に記載の無線識別アンテナシステム。
【請求項１４】
各パッチアンテナ(21)は、給電導線(37)を有し、
接地面(31)内の透孔(31')、透孔(31')に連続するパッチアンテナ(21)の各接地面(27)内の透孔(27')、透孔(27')に連続しかつ基板(23)を通じて延伸する通路(37)を通り接続領域(25)に設けられる給電位置(25')に給電導線を延伸させ、
接続領域(25)の下側に給電位置(25')を設けた請求項１〜１３の何れか１項に記載の無線識別アンテナシステム。
【請求項１５】
共通の接地面(31)に対向してパッチアンテナ(21)の群(A,B)を配置し、
５cm〜４０cmの間で高さ方向に接地面を延伸させた請求項１〜１４の何れか１項に記載の無線識別アンテナシステム。
【請求項１６】
無線識別アンテナ装置(1)及び／又は側方の仕切り(1')の下方の領域内で床面(5)への移行領域に設けられる付加的なパッチアンテナ(21)を備え、
上方を向く垂直成分をもって付加的なパッチアンテナ(21)の主放射方向及び／又は接続領域(25)を予め方向付けした請求項１〜１５の何れか１項に記載の無線識別アンテナシステム。
【請求項１７】
無線識別アンテナ装置(1)及び／又は側方の仕切り(1')の上方の端部領域に単一又は複数のパッチアンテナ(21)を設け、
下方を向く垂直成分をもってパッチアンテナ(21)の主放射方向及び／又は接続領域(25)を予め方向付けした請求項１〜１６の何れか１項に記載の無線識別アンテナシステム。
【請求項１８】
通路の進行方向(3')に互いに変位して配置される協働する少なくとも２つのパッチアンテナ(21)を備え、
異なる位相、好ましくは調節可能な異なる位相でパッチアンテナを駆動する請求項１〜１７の何れか１項に記載の無線識別アンテナシステム。
【請求項１９】
床面(5)の領域内でかつ／又は出入口(3)の上方に少なくとも１つのパッチアンテナ(21)を配置し、又は床面(5)の領域内でかつ／又は出入口(3)の上方に複数のパッチアンテナ(21)を通路の進行方向(3')に互いに変位して配置した請求項１〜１８の何れか１項に記載の無線識別アンテナシステム。
【請求項２０】
電子式商品監視システム（ＥＡＳ）に属するアンテナ及び／又はフレームアンテナ(15)内にパッチアンテナ(21)を後付けしかつ／又は内蔵した請求項１〜１９の何れか１項に記載の無線識別アンテナシステム。
【請求項２１】
複数の無線識別アンテナ装置(1)及び／又は側方の仕切り(1')の間を通る複数の出入口(3)を形成して、複数の無線識別アンテナ装置(1)及び／又は側方の仕切り(1')を側方に変位をもって配置し、
中央の無線識別アンテナ装置(1)及び／又は側方の仕切り(1')内にパッチアンテナ(21)を組み込み、
パッチアンテナの一部を一方向に放射し、パッチアンテナの他の一部を対向する方向に放射してパッチアンテナに隣接する２つの出入口(3)を監視する請求項１〜２０の何れか１項に記載の無線識別アンテナシステム。
【請求項２２】
電子式商品監視システム（ＥＡＳ）に属するフレームアンテナ(15)を備え、
フレームアンテナ(15)内に少なくとも１つのパッチアンテナ(21)を内蔵し、
フレームアンテナ(15)を上面から見たとき、フレームアンテナ(15)の内部にパッチアンテナ(21)を内蔵した請求項１〜２１の何れか１項に記載の無線識別アンテナシステム。
【国際調査報告】
2010527521.tif 000012
2010527521.tif 000013
2010527521.tif 000014
2010527521.tif 000015
2010527521.tif 000016
2010527521.tif 000017
2010527521.tif 000018
2010527521.tif 000019